(57)【要約】    【課題】  カム筒の光軸方向への長さを短縮し、更にカム筒の回転角の拡大を容易にするレンズ鏡筒を得ること。    【解決手段】  周上に複数の突起部と、切削加工にてカム溝が形成された第１の筒と、周上に案内溝と前記突起部を光軸方向で両側より挟む溝部を備えた第２の筒と、前記カム溝と前記案内溝に係合し、レンズを保持するレンズ保持枠に固定されたカムフォロアと、前記カムフォロアを介して前記カム溝と前記案内溝の相対位置の変化より、前記レンズ保持枠を光軸方向に移動させるレンズ鏡筒において、該溝部のうち片側の溝部は周方向に複数箇所切り欠かれた形状より成り、前記突起部と前記溝部の係合により第１の筒と第２の筒は相対的に回転可能に保持されており、光軸方向において、前記カム溝の端部のうち前記突起部と最も近いカム溝の端部の位相は前記複数の突起部の間に位置すること。【選択図】    図３
2011033685.tif 000002
【特許請求の範囲】
【請求項１】
周上に複数の突起部と、切削加工にてカム溝が形成された第１の筒と、周上に案内溝と前記突起部を光軸方向で両側より挟む溝部を備えた第２の筒と、前記カム溝と前記案内溝に係合し、レンズを保持するレンズ保持枠に固定されたカムフォロアと、前記カムフォロアを介して前記カム溝と前記案内溝の相対位置の変化より、前記レンズ保持枠を光軸方向に移動させるレンズ鏡筒において、該溝部のうち片側の溝部は周方向に複数箇所切り欠かれた形状より成り、前記突起部と前記溝部の係合により第１の筒と第２の筒は相対的に回転可能に保持されており、光軸方向において、前記カム溝の端部のうち前記突起部と最も近いカム溝の端部の位相は前記複数の突起部の間に位置することを特徴とするレンズ鏡筒。
【請求項２】
前記突起部と前記カム溝の端部との光軸方向の距離は、前記第１の筒の肉厚よりも小さいことを特徴とする請求項１に記載のレンズ鏡筒。
【請求項３】
前記レンズ保持枠を光軸方向に移動させるための前記第１の筒の回転角をθ、前記突起部の隣接する突起部との間の周方向に張る角度をβ、周方向に複数箇所切り欠かれた形状の溝部のうち残った形状の周方向に張る角度をγ、前記複数の突起部の個数をｎとするときに、
β＞γ、且つ（２π／ｎ―β）＞γ＋θ
なる条件を満足することを特徴とする請求項１又は２に記載のレンズ鏡筒。
【請求項４】
請求項１、２又は３に記載のレンズ鏡筒を有することを特徴とする撮像装置。
【発明の詳細な説明】
【技術分野】
【０００１】
本発明はカム筒と案内筒の相対位置関係によりカムフォロワを介してフォーカス用のレンズあるいはズーム用のレンズを移動させるレンズ鏡筒に関し、デジタルカメラ、ビデオカメラ、ＴＶカメラ等の撮像装置に好適なものである。
【背景技術】
【０００２】
従来、レンズを保持するレンズ保持枠等の筒部材を光軸方向へ移動させるレンズ鏡筒の機構の一つに、各々の周上に溝が形成された２つの筒とカムフォロアを用いる機構が知られている。この機構では双方の筒の相対回転をカムフォロアを介することで光軸方向への運動に変換して、レンズ保持枠を移動している。具体的にはカム溝が形成されたカム筒と案内溝が形成された案内筒と、カム溝と案内溝に係合するカムフォロアと、カムフォロアが取り付けられる光軸方向に移動させるレンズを保持するレンズ保持枠から構成されている。
【０００３】
上記の構成においてカム筒を案内筒に対して光軸周りに回転させると、カム溝と案内溝が交差する位置に設けたカムフォロアの位置が移動する。カムフォロアはレンズ保持枠に取り付けられているので、結果的にカム筒の回転によりレンズ保持枠が光軸方向へ移動する。このとき案内筒に対してカム筒を回転可能に保持するために、カム筒もしくは案内筒の片方に設けた突起部をもう一方に設けた溝部に係合させてスラスト方向の規制を行うようにしたレンズ鏡筒が知られている（特許文献１）。
【０００４】
特許文献１のレンズ鏡筒では案内筒と回転筒とを、２箇所の係止爪を有した第１の突起部と第１の突起部と光軸方向に位置の異なる第２の突起部で係合させることで回転可能に保持する機構が開示されている。また、特許文献１では第１の突起部、第２の突起部の少なくとも一方をバヨネット結合とすることで案内筒と回転筒以外の部材を追加することなく回転筒を回転可能に保持している。
【先行技術文献】
【特許文献】
【０００５】
【特許文献１】特開２００５−０１７５８５号公報
【発明の概要】
【発明が解決しようとする課題】
【０００６】
特許文献１に開示されたレンズ鏡筒では、スラスト方向の規制部の光軸方向位置がカム溝から離れている。このために、場合によってはレンズ鏡筒の小型化が阻害されることがある。
【０００７】
本発明は、カム筒の光軸方向への長さを短縮し、更にカム筒の回転角の拡大を容易にするレンズ鏡筒の提供を目的とする。
【課題を解決するための手段】
【０００８】
本発明のレンズ鏡筒は、周上に複数の突起部と、切削加工にてカム溝が形成された第１の筒と、周上に案内溝と前記突起部を光軸方向で両側より挟む溝部を備えた第２の筒と、前記カム溝と前記案内溝に係合し、レンズを保持するレンズ保持枠に固定されたカムフォロアと、前記カムフォロアを介して前記カム溝と前記案内溝の相対位置の変化より、前記レンズ保持枠を光軸方向に移動させるレンズ鏡筒において、該溝部のうち片側の溝部は周方向に複数箇所切り欠かれた形状より成り、前記突起部と前記溝部の係合により第１の筒と第２の筒は相対的に回転可能に保持されており、光軸方向において、前記カム溝の端部のうち前記突起部と最も近いカム溝の端部の位相は前記複数の突起部の間に位置することを特徴としている。
【発明の効果】
【０００９】
本発明によれば、カム筒の光軸方向への長さを短縮し、更にカム筒の回転角の拡大を容易にするレンズ鏡筒が得られる。
【図面の簡単な説明】
【００１０】
【図１】本発明のレンズ鏡筒をレンズ交換式デジタル一眼レフカメラに適用したときの実施例１の断面図
【図２】図１における案内筒２２とカム筒２４の関係を示す展開図
【図３】図１におけるカム筒２４の展開図
【図４】本発明の実施例２におけるカム筒２４の展開図
【発明を実施するための形態】
【００１１】
以下に、本発明の好ましい実施の形態を、添付の図面に基づいて詳細に説明する。本発明のレンズ鏡筒は、筒状の周上に複数の突起部２４ｃと、切削加工にてカム溝２４ａが形成された第１の筒（カム筒）２４を有している。更に周上に案内溝２２ａと突起部２４ｃを光軸方向で両側より挟む溝部２２ｆを備え、溝部２２ｆのうち片側の溝部は周方向に複数箇所切り欠かれた形状より成る第２の筒（案内筒）２２と、を有している。そして突起部２４ｃと溝部２２ｆの係合により第１の筒２４と第２の筒２２は相対的に回転可能に保持（径嵌合）されている。更にカム溝２４ａと案内溝２２ａに係合し、フォーカス用又はズーム用のレンズを保持するレンズ保持枠３２に固定されたカムフォロア２５とを有している。そしてカムフォロア２５を介してカム溝２４ａと案内溝２２ａの相対位置の変化より、レンズ保持枠３２を光軸方向に移動させている。このときカム筒２４は光軸方向において、カム溝２４ａの端部２４ａａのうち突起部２４ｃと最も近いカム溝２４ａの端部２４ａａの位相αは複数の突起部２４ｃの間βに位置するように構成している。またカム筒２４の突起部２４ｃとカム溝２４ａの端部２４ａａとの光軸方向の距離（長さ）は、カム筒２４の肉厚よりも小さい。
【００１２】
図１は、本発明の実施例１にかかわるレンズ鏡筒（交換レンズ）をレンズ交換式デジタル一眼レフカメラ（撮像装置）に適用したときの要部断面図である。図１では、レンズ光軸（撮影光軸）ＡＸＬの方向をＺ方向とし、レンズ光軸ＡＸＬに対して直交する方向であって、撮像面６に平行な２方向のうち横方向をＸ方向、縦方向をＹ方向としている。
【００１３】
１はカメラボディ（以下、単にカメラという）である。２はカメラ１に着脱可能に装着された交換レンズである。まず、カメラ１の構造について説明する。図１で示した状態において、メインミラー３は交換レンズ２からの光束の光路上に配置され、その光束の一部を反射してファインダ光学系ＦＯ（７、８）に導き、かつ残りの光束を透過させる。メインミラー３の背後（像側）にはサブミラー４が配置されており、メインミラー３を透過した光束を反射して焦点検出ユニット５に導く。なお、メインミラー３およびサブミラー４は不図示の駆動機構により上記光路から一体的に退避することが可能となっている。焦点検出ユニット５は、いわゆる公知の位相差検出方式での焦点検出（交換レンズ２の焦点状態の検出）を行う機能を持つ。焦点検出ユニット５は、入射した光束を２つの光束に分割するセパレータレンズと、分割した光束で各々被写体像を再結像させる２つのレンズを有する。更に結像した２つの被写体像をそれぞれ光電変換するＣＣＤセンサ等のラインセンサ等から構成されている。なお、ラインセンサは、被写体の縦方向（Ｙ方向）と横方向（Ｘ方向）の像位置を検出するよう十字型に配置されている。
【００１４】
６はＣＣＤセンサ又はＣＭＯＳセンサにより構成される撮像素子であり、この撮像素子６の受光面（撮像面）上には交換レンズ２からの光束による物体像（像）が結像する。撮像素子６は、結像した被写体像を光電変換し、撮像信号を出力する。また、不図示の電子制御式フォーカルプレーンシャッタにより撮像素子６の露光量を制御する。ファインダ光学系ＦＤは、像反転手段としてのペンタプリズム７と、接眼レンズ８とを有している。９はディスプレイパネルであり、撮像素子６の信号を入力とした不図示の信号処理部から出力される画像やその他様々な撮影情報を表示する機能を持つ。交換レンズ２は被写体側から像側へ順に、固定レンズとしての第１レンズユニット１０１、フォーカスレンズとしての第２レンズユニット１０２、固定レンズとしての第３レンズユニット１０３を有している。更にフォーカスレンズとしての第４レンズユニット１０４、さらに防振レンズとしての第５レンズユニット１０５、固定レンズとしての第６レンズユニット１０６を有している。
【００１５】
絞りユニット１０７は第３レンズユニット１０３の前側（物体側）に配置されており、交換レンズ２内を通過してカメラ１側に至る光束の光量を調節する。なお、上記レンズユニット１０１〜１０６および絞りユニット１０７は撮影光学系の一部を構成している。第２レンズユニット１０２及び第４レンズユニット１０４は、フォーカスユニット１０８からの駆動力を受けて光軸ＡＸＬ上を移動して焦点調節を行う。本実施例の交換レンズ２は単一焦点距離の撮影レンズであるが、ズーム機能を有するズームレンズであっても良い。
【００１６】
次に、交換レンズ２（レンズ鏡筒）の構造について説明する。２１は固定筒であり、案内筒２２の取り付け部２１ａと外装環３０の取り付け部（不図示）及び振れ補正用レンズ駆動装置３９の取り付け部（不図示）、第６群鏡筒３６の取り付け部２１ｂ、回路基板４２を取り付けるための取り付け部（不図示）等を備える。なお、固定筒２１の取り付け部２１ａにおいて案内筒２２とは締結等の方法で固定されている。また固定筒２１には不図示の外装環取り付け部において、マウント４０とは外装環３０を介して締結等の方法で固定される。また、振れ補正用レンズ駆動装置取り付け部（不図示）と振れ補正用レンズ駆動装置３９は不図示のコロを介して固定されているため、偏芯コロを用いることで固定筒２１に対して第５レンズユニット１０５の傾き調整を行うことが可能である。第６群鏡筒取り付け部２１ｂおいて、第６群鏡筒３６とは締結等の方法で固定される。
【００１７】
２２は案内筒（第２の筒）であり、第１直進溝２２ａ（案内溝）、第２直進溝２２ｂ、固定筒２１との取り付け部２２ｃと前側固定筒２３との取り付け部２２ｄを備える。また、角速度や加速度を検出するセンサが実装された部材の取り付け部２２ｅ、フォーカスユニット１０８の取り付け部（不図示）、第３群鏡筒３３の取り付け部（不図示）を有する。さらに、案内筒２２はカム筒２４のスラスト方向（光軸方向）への移動を規制し、後述する突起部２４ｃを挟むバヨネット部（溝部）２２ｆを有する第２の筒２２に設けられた溝部のうち片側の溝部は周方向に複数切り欠かれた形状より成る。第１直進溝２２ａはフォーカス用の第２群鏡筒（レンズ保持枠）３２の直進案内を行い、第２直進溝２２ｂはフォーカス用の第４群鏡筒（レンズ保持枠）３４の直進案内を行う。第３群鏡筒取り付け部（不図示）と第３群鏡筒３３は不図示のコロを介して固定される。また、案内筒２２にはカム筒２４に取り付けられたフォーカスコロ（不図示）の軌跡からオフセットした切り欠き部（不図示）を有している。また、後述する絞りユニット１０７へ電力を供給するフレキシブルプリント基板を保持する保持板の取り付け部（不図示）を備える。
【００１８】
２３は前側固定筒であり、案内筒２２との取り付け部２３ａと前枠２８との取り付け部２３ｂ、第１群鏡筒３１の取り付け部（不図示）を有する。第１群鏡筒取り付け部は光軸方向への第１群鏡筒３１の移動を規制する規制部とコロの当接部とからなり、第１群鏡筒３１に取り付けた偏芯コロにより第１群鏡筒すなわち、第１レンズユニット１０１を前側固定筒２３に対して偏芯調整可能な構造としている。２４はカム筒（第１の筒）であり、第１カム溝２４ａ（カム溝）、第２カム溝２４ｂ、フォーカスコロ（不図示）の取り付け部（不図示）を有する。また、案内筒２２のバヨネット部２２ｆと係合する突起部２４ｃ（第１の筒２４の周方向に複数設けられた突起部）を備え、カム筒２４は案内筒２２の内側に配置され、前・後端の２箇所で径嵌合している。２５、２６はそれぞれ第１カムフォロワ、第２カムフォロワである。第２群鏡筒３２に固定された第１カムフォロア２５がカム筒２４の第１カム溝２４ａと案内筒２２の第１直進溝（第１案内溝）２２ａに係合する。そして第４群鏡筒３４に固定された第２カムフォロア２６がカム筒２４の第２カム溝２４ｂと案内筒２２の第２直進溝（第２案内溝）２２ｂに係合する。
【００１９】
フォーカスユニット１０８を駆動すると、フォーカスユニット１０８の出力部である不図示のキー部が光軸まわりに回転する。さらに、前記キー部とはフォーカスコロ（不図示）が係合し、前記フォーカスコロの取り付け部材であるカム筒２４に回転を伝達する。カム筒２４の回転により、第２群鏡筒３２は第１カムフォロア２５を介して第１直進溝２２ａと第１カム溝２４ａの相対関係に従いながら光軸方向に移動する。第４群鏡筒３４も同様に、第２カムフォロア２６を介して第２直進溝２２ｂと第２カム溝２４ｂの相対関係に従いながら光軸方向に移動する。以上が第１カムフォロア２５、第２カムフォロア２６の機能である。２７はフォーカス環であり、フォーカスユニット１０８に固定されたコロ（不図示）と係合することで光軸方向の移動を規制し回転可能に保持する案内溝部２７ａを有する。さらに、フォーカス環２７のフォーカスユニット１０８の突起部（不図示）と係合して、フォーカス環２７の回転をフォーカスユニット１０８へ伝達する溝部２７ｂを有する。フォーカスユニット１０８は不図示の駆動源と、キー部（不図示）、フォーカス環２７と係合すう突起部（不図示）とからなる。駆動源と電気回路基板４２とは、フレキシブルプリント基板等で接続されていて電気回路基板４２からの駆動信号により駆動源が駆動されるようになっている。
【００２０】
２８は前枠であり、前側固定筒２３の取り付け部２８ａ、フィルタ等のアクセサリを装着するためのネジ部２８ｂと、フード等のアクセサリを装着するためのツバ部２８ｃ、距離情報表示窓の取り付け部（不図示）を有している。２９は化粧環であり前枠２８のネジ部２８ｂにねじ込み固定される。３０は外装環であり、装飾のために内部部品を覆うカバー部材である。固定筒２１及びマウント部材４０の間にあり、共締めで固定される取り付け部（不図示）を有する。また、フォーカスや防振機能の切換えを行う操作部材（不図示）が取り付けられている。３１は第１群鏡筒であり、前側固定筒２３との当接部及び不図示のコロを固定する取り付け部（不図示）を有する。３２はフォーカス用の第２群鏡筒（レンズ保持枠）であり、第１カムフォロア２５を固定する座部３２ａ、副絞り装置３８のアーム部３８ｃと係合するガイド部３２ｂを有する。３３は固定の第３群鏡筒であり、不図示のコロを介して案内筒２２に固定される取り付け部（不図示）を有する。また、絞りユニット１０７の取り付け部（不図示）、主絞り装置３７の駆動部（不図示）を囲む形状を有する。
【００２１】
３４はフォーカス用の第４群鏡筒（レンズ保持枠）であり、第２カムフォロア２６を固定する座部３４ａを有する。３５は防振用の第５群鏡筒であり、振れ補正用レンズ駆動装置３９の駆動部３９ａにより光軸に平行な平面内でシフトすることで手振れ補正を行う機能を有する。３６は固定の第６群鏡筒であり、固定筒２１と固定される取り付け部３６ａを有する。なお、第１群鏡筒３１〜第６群鏡筒３６はそれぞれ第１レンズユニット１０１〜第６レンズユニット１０６の構成部品である。３７は主絞り装置であり、第３群鏡筒３３の物体側に配置され、複数の絞り羽根３７ａ、駆動部材（不図示）及びカバー部材（不図示）から構成される。不図示のフレキシブルプリント基板は、その一端が主絞り装置３７に接続され、他方が電気回路基板４２に接続されている。電気回路基板４２からの駆動信号により、絞り羽根３７ａは駆動され通過光束を規制している。なお、主絞り装置３７及び副絞り装置３８で絞りユニット１０７は構成されている。
【００２２】
３８は副絞り装置であり、主絞り装置３７の物体側に配置され、複数の絞り羽根３８ａ、及び絞り羽根３８ａの開閉を行うために回転する回転部材３８ｂから構成される。また、回転部材３８ｂから延出したアーム部３８ｃは第２群鏡筒３２のガイド部３２ｂと係合する。フォーカスを行った際の第２群鏡筒３２の直進移動によってアーム部３８ｃ、すなわち回転部材３８ｂが回転することで絞り羽根３８ａを開閉させる構造より成っている。振れ補正用レンズ駆動装置３９は、光軸に垂直な平面内でシフトすることで手振れの補正を行う第５群鏡筒３５（可動部）と第５群鏡筒３５を駆動させる駆動部３９ａを有する。さらに、不図示のフレキシブルプリント基板は、その一端が振れ補正用レンズ駆動装置３９の駆動部３９ａに接続され、他方が電気回路基板４２に接続されている。電気回路基板４２からの駆動信号により、第５群鏡筒３５は駆動される。４０はマウント部材で、開口部４０ａと、カメラ本体への取り付くためのツバ部４０ｂと、固定筒２１との締結のための座部（不図示）からなる。また、マウント部材４０の開口部には裏蓋４３が取り付けられており、裏蓋４３の内径部には反射防止のため植毛処理がされている。
【００２３】
４１は接点部材で、その片端が電気回路基板４２に接続されている接点部４１ａを有し、カメラ本体に取り付けた時にカメラ本体の接点部と接触して、カメラ本体との情報伝達を行うようになっている。電気回路基板４２は、レンズ内において種々の駆動のための演算およびカメラとの情報伝達の処理を行う。このような構成のレンズ鏡筒において、不図示のレリーズボタンの操作がなされると、オートフォーカス、露出決定動作の後、撮像素子の露光及び取得された画像の記録動作がなされる。以上が個々の部材の説明である。次に、本実施例のレンズ鏡筒に関わる主な部品の相互関係について説明する。
【００２４】
［実施例１］
以下、図２、図３を参照して、本発明の実施例１によるレンズ鏡筒の構成について説明する。図２、図３は、図１に示したレンズ鏡筒２の一部分の説明図であり、それぞれ上述した案内筒（第２の筒）２２とカム筒（第１の筒）２４の関係を示す展開図、カム筒２４の展開図を示している。図２（Ａ）は、カム筒２４を案内筒２２に組み込む際の位相関係（周方向の関係図）、（Ｂ）は被写体距離が無限遠のときの位相関係、（Ｃ）は被写体距離が至近距離のときの位相関係を示している。便宜上、案内筒２２を破線で、カム筒２４を実線で示している。矢印は案内筒２２とカム筒２４の周方向の相対位置の変化する方向を示している。図２（Ａ）を見ると分かるように、カム筒２４を案内筒２２に組み込むには、カム筒２４の突起部２４ｃと案内筒２２のバヨネット部（溝部）２２ｆの切り欠き範囲とを位相方向で合わせて組み込む必要がある。
【００２５】
図２（Ｂ）、図２（Ｃ）において、第１案内溝（第１直進溝）２２ａと第１カム溝２４ａ、第２案内溝（第２直進溝）２２ｂと第２カム溝２４ｂが交差する。この交差する箇所にはレンズ保持枠３２に固定された第１カムフォロワ２５とレンズ保持枠３４に固定された第２カムフォロワ２６が係合している。案内筒２２に対してカム筒２４を相対的に回転させると、第１カムフォロワ２５、第２カムフォロワ２６がそれぞれ固定されているレンズ保持枠３２、３４を介して第２、第４レンズユニット１０２，１０４が光軸方向に直進駆動し、焦点調節が行われる。以上が、案内筒２２とカム筒２４の関係に関する説明である。以降、本実施例の特徴について説明する。図３はカム筒２４の展開図を示している。本実施例の特徴は光軸方向においてカム溝２４ａの端部２４ａａのうち、突起部２４ｃと最も近い第１カム溝２４ａの端部２４ａａの位相αをカム筒２４に設けた複数の突起部２４ｃの間（β）に位置するようにしたことである。
【００２６】
本実施例では案内筒２２に設けた第１案内溝２２ａ、第２案内溝２２ｂ、カム筒２４に設けた第１カム溝２４ａ、第２カム溝２４ｂ、突起部２４ｃは各々周方向に１２０°等分で３箇所設けている。ここでは、説明の便宜上１つの記号で示す。また、第１カム溝２４ａの端部２４ａａと突起部２４ｃに最も近い光軸方向の距離をＡで表している。図３に示している２４ａ−１は第１カム溝２４ａの工具穴であり、第１カム溝２４ａの面取りを含めた加工を合理的に行うために必要な形状より成っている。カム溝２４ａの面取りを行う都合上、工具穴２４ａ−１の径は第１カム溝２４ａに係合する第１カムフォロワ２５の径（外径）よりも大きい。また、第１カム溝２４ａの加工は工具穴２４ａ−１の位置（端部２４ａａ）からスタートし、反対側の端部まで行き、工具穴２４ａ−１の位置に戻って終了となる。
【００２７】
本実施例の効果について以下に説明する。βは突起部２４ｃと隣接する突起部２４ｃとの間の周方向に張る角度である。端部２４ａａの位相αが区間β外にある場合、第１カム溝２４ａと突起部２４ｃのクリアランス（隙間）が最短距離Ａとなる。ここで、最短距離Ａがあまりにも小さい場合（例えばカム筒２４の肉厚以下の場合）、第１カム溝２４ａの加工時に突起部２４ｃの形状に変形が起こることが予想される。これに対して、端部２４ａａの位相αを区間β内にした場合には、最短距離Ａは第１カム溝２４ａと突起部２４ｃのクリアランスよりも小さな値となる。すなわち、端部２４ａａの位相αを区間β内にすることで、同じ最短距離Ａでも第１カム溝２４ａと突起部２４ｃのクリアランスを大きくとることができ、第１カム溝２４ａの加工時に突起部２４ｃが変形するのを極力防止することができる。さらに、第１カム溝２４ａと突起部２４ｃを近づけることができるのでカム筒２４の光軸方向の長さを不要に長くする必要がなく小型化が容易となる。また、同じ光軸方向の長さの場合には、第１カム溝２４ａを長くすることができるので第２レンズユニット１０２の移動量を大きくしたり、カム筒２４の回転角を大きくしたりすることも容易となる。後者はレンズユニットの同じ移動量に対するカム筒２４の回転角が大きくなるので、レンズユニットを高精度に動かすことができる。
【００２８】
特に最短距離Ａをカム筒２４の肉厚以下とすると位相αを区間β内にすることで突起部２４ｃの形状の変形を効果的に防止することができる。また、本実施例ではカム筒２４と同様、案内筒２２の第１案内溝２２ａも切削加工により形成されている。このため、バヨネット部２２ｆの形状の変形を防止するという観点から第１案内溝２２ａとバヨネット部２２ｆの距離には制約がある。このような場合、工具穴２４ａ−１を突起部２４ｃ間に位置させることで、第１カムフォロワ２５が到達できない位置に第１カム溝２４ａの工具穴２４ａ−１を配置することができる。このため他の位置に工具穴２４ａ−１を設けるよりも小型化が容易である。なお、本実施例では第１カム溝２４ａと突起部２４ｃの関係について述べたが、これに限ったものではなく第２カム溝２４ｂと突起部２４ｃの関係であっても良い。
【００２９】
次に、案内筒２２のバヨネット部（溝部）２２ｆとカム筒２４の突起部２４ｃの周方向への角度の関係について図２を用いて説明する。カム筒２４の第１カム溝２４ａと突起部２４ｃは切削加工で形成されるが、突起部２４ｃの形状は元々周方向に１周繋がっていた形状の一部を切削加工で除去して生成している。突起部２４ｃを光軸方向で両側で挟むバヨネット部（溝部）２２ｆのうち片側の溝部が周方向に複数箇所切り欠かれた形状となり、このとき後に残った形状の周方向に張る角度をγとする。角度γと突起部２４ｃの角度は反対の関係であってもスラスト規制を行えるが、上述の切削加工による製造を考慮して突起部２４ｃの角度の方を大きくしている。案内筒に突起部を設け、カム筒に溝部を構成しても良い。このとき、カム筒２４の案内筒２２に対する回転角をθ（本実施例の場合、無限遠物体位置と至近距離物体位置の角度）、隣接する２つの突起部２４ｃの間の周方向に張る角度をβとする。周方向の個数をｎ、バヨネット部２２ｆのうち前記片側の溝部が切り欠かれた後に残った形状（部分）の周方向に張る角度をγとする。このときに、
β＞γ、且つ（２π／ｎ―β）＞γ＋θ
を満足するように設定している。前者はカム筒２４の組み込みが可能なこと、後者はカム筒２４が回転した時に周方向の係り量が変化しないという条件から導き出される。
【００３０】
本実施例のように、カム筒２４の回転に伴って複数のレンズユニットが移動するレンズ鏡筒においては、カム筒２４の回転によるこじれ等を防止するためスラスト規制を行う位置を複数のレンズユニットの間に配置するのが好ましい。複数のレンズユニットの間に配置する場合には端に配置するのに比べ制約が大きいが、本実施例の方法を用いることでスラスト規制を行う位置の自由度があがるため、小型化という観点から特に効果的である。以上のように本実施例では、カム筒２４の周方向に設けた突起部２４ｃの光軸方向の位置に最も近いカム溝２４ａの端部２４ａａの位相を複数の突起部２４ｃの間に配置している。これにより、カム筒２４の突起部２４ｃとカム溝２４ａの光軸方向位置を近づけることができカム筒２４の小型化が容易となる。また、突起部２４ｃの間までカム溝２４ａを伸ばすことによりカム環２４の回転角を大きくすることができ、レンズ保持枠を光軸方向に大きく移動することができる。
【００３１】
［実施例２］
図４は本発明の実施例２によるレンズ鏡筒の要部概略図である。本実施例では、実施例１であるレンズ鏡筒の第１カム溝２４ａの形状を変更している。本実施例の特徴は、カム筒２４の第１カム溝２４ａと突起部２４ｃの光軸方向の最短距離Ａが０以下、すなわち第１カム溝２４ａがカム筒２４の２つの突起部２４ｃ間を通過していることにある。このように第１カム溝２４ａをまたぐ形で突起部２４ｃを配置することができるので、突起部２４ｃの配置の自由度が高くなり、カム筒２４の小型化や回転角拡大に対して更なる効果がある。以上、本発明の好ましい実施形態について説明したが、本発明はこれらの実施形態に限定されず、その要旨の範囲内で種々の変形及び変更が可能である。さらに、本実施例は、レンズ交換式デジタル一眼レフカメラのレンズ鏡筒について説明したが、本発明は、レンズ一体側のデジタルカメラ、さらにはビデオカメラ等のレンズ鏡筒にも同様に適用することができる。
【符号の説明】
【００３２】
２１：固定筒、２２：案内筒、２３：前側固定筒、２４：カム筒、２５：第１カムフォロア、２６：第２カムフォロア、２２ａ：案内溝、２４ａ：カム溝、２４ｃ：突起部、２４ａａ：カム溝の端部、α：位相
【図３】
2011033685.tif 000003
【図４】
2011033685.tif 000004
【図１】
2011033685.tif 000005
【図２】
2011033685.tif 000006